(57)【要約】【課題】原子力発電所の燃料貯蔵プ−ルにおけるスロッシングによる溢水量を可能な限り抑制および緩和させ、下階に溢れる可能性及び最地下階の重要設備に対して影響を与える可能性を低減させる。【解決手段】原子力発電所における燃料貯蔵プ−ル１の周囲に設けられた堰２と、この堰の周囲にこれよりも低い配置で設けられた燃料取替床３と、これら堰及び燃料取替床の表面に沿って固定した凸型プレ−ト４と、この凸型プレ−トにおける堰の頂部上に固定された柵５とを備え、柵５には、スロッシングによるプール水の水位上昇時にプ−ル外への溢水を緩和するシ−ト又はパネルからなる溢水緩和部材１２を設ける。【選択図】  図１
2006317230.tif 000002
【特許請求の範囲】
【請求項１】
原子力発電所における燃料貯蔵プ−ルの周囲に設けられた堰と、この堰の周囲にこれよりも低い配置で設けられた燃料取替床と、これら堰及び燃料取替床の表面に沿って固定した凸型プレ−トと、この凸型プレ−トにおける前記堰の頂部上に固定された柵とを備え、前記柵には、スロッシングによるプール水の水位上昇時にプ−ル外への溢水を緩和するシ−ト又はパネルからなる溢水緩和部材を設けたことを特徴とする燃料貯蔵プールの柵構造。
【請求項２】
前記凸型プレ−トは、前記プール水の水面より高い配置で前記燃料貯蔵プール側に向って張り出す水位上昇緩和用の張出し部を備えた請求項１記載の燃料貯蔵プールの柵構造。
【請求項３】
前記溢水緩和部材は、可撓性シ−ト、または金属製もしくはプラスチック製パネルである請求項１記載の燃料貯蔵プールの柵構造。
【請求項４】
前記柵の上部と前記燃料取替床との間に、揺動水による動圧を圧縮荷重として受止めるコネクティングロッドを設けた請求項１記載の燃料貯蔵プールの柵構造。
【請求項５】
前記凸型プレ−トの燃料貯蔵プ−ル側への張出し部に、揺動水が引く際の負圧発生防止用としての空気抜き孔を穿設した請求項１記載の燃料貯蔵プールの柵構造。
【請求項６】
前記柵は、前記燃料貯蔵プ−ルの外縁に沿って分割構造とし、分割部分毎に設置及び撤去可能とした請求項１記載の燃料貯蔵プールの柵構造。
【発明の詳細な説明】
【技術分野】
【０００１】
本発明は、原子力発電所における燃料貯蔵プールの柵構造に係り、特に、地震による燃料貯蔵プ−ル水のスロッシング発生時に揺動水の衝撃を吸収するとともに、溢水を緩和する機能をもつ燃料貯蔵プールの柵構造に関する。
【背景技術】
【０００２】
原子力発電所に設置される燃料貯蔵プールは、地震時にスロッシング現象が発生し、プール水が揺動し、液位の上昇によりプール水がフロアに溢水する可能性がある。
【０００３】
プール水が上昇し、フロアに溢水した場合には、ある一定量以下であればフロアに滞留し、プール下階に溢れていくことはなく、かつ最地下階にあるドレンサンプタンクに貯蔵することとなる。
【０００４】
しかしながら、この一定量を超える可能性もあり、また最地下階にあるドレンサンプタンクの容量も小さいことから、最地下階でタンクより溢水し、重要設備に対して影響を与える可能性も否定できない。
【０００５】
なお、従来技術としては、液体を収容する容器の液面内近傍に平板を設置し、この平板を支持部材により回動及び固定自在に支持する構成（例えば、特許文献１参照）、また、重圧面とその四周の一方側にフランジを形成したパネルを連設した組立貯水槽と、この貯水槽の側壁内面に設けられた多数の突片とを備えた構成（例えば、特許文献２参照）等が提案されている。
【特許文献１】特開平８−１０１２９６号公報
【特許文献２】特開平１０−１５２１９５号公報
【発明の開示】
【発明が解決しようとする課題】
【０００６】
上述のように、従来技術においては、燃料取替床に設けられた堰や、各機器の据付位置を高くする等のスロッシングによる溢水対策が講じられているが、積極的にスロッシングを抑制若しくは緩和する対策はとられていない。したがって、スロッシングに対する積極的な抑制および緩和対策が講じられていないため、重要設備に対して影響を与える可能性が否定できない。
【０００７】
本発明は、このような事情に鑑みてなされたもので、スロッシングによる溢水量を可能な限り抑制および緩和させ、下階に溢れる可能性及び最地下階の重要設備に対して影響を与える可能性を低減させることにより、原子力発電所の信頼性向上を果たすことができる燃料貯蔵プールの柵構造を提供することを目的とする。
【課題を解決するための手段】
【０００８】
本発明者においては、原子力発電所の使用済燃料貯蔵プ−ルの周囲に設置されている柵（手摺）の構造を改良することで、地震によりプ−ル水が波立ち、堰を乗越えて燃料取替床に溢れる所謂スロッシングによる溢水を緩和することに着目した。すなわち、地震による燃料貯蔵プ−ル水のスロッシング発生時に揺動水の衝撃を吸収するとともに、溢水を緩和する機能をもたせる構成とすることに想到した。
【０００９】
スロッシングによる溢水を緩和又は抑制する手段としては、（１）水の揺動エネルギを減衰させて水位の増大を抑制する手段、（２）堰を高くして乗越える水量を小さくしてやる手段が考えられる。
【００１０】
本発明では、上記（１）及び（２）の両機能をプ−ルの周囲に配設された柵構造に持たせることで、スロッシングによる溢水を緩和及び抑制することを提案するものである。
【００１１】
すなわち、本発明の柵構造では、大きくは、プ−ル周囲の堰と燃料取替床の断面形状にあわせた凸型プレ−トと、そのプレ−ト上に固定された柵から構成することを提案する。
【００１２】
そして、柵にはシ−ト又はパネルを張り付け、また凸型プレ−トの一端はプ−ル上に張り出し、且つ空気抜きの小孔を設けることが望ましい。
【００１３】
また、本発明による柵構造の凸型プレ−トでは、燃料貯蔵プ−ル内面やライニングには固定せず、堰の上面或いはプ−ル周囲の床側に後打ちアンカ等で定着をとって固定する事が望ましい。これにより、同柵構造は燃料貯蔵プ−ルと縁が切れている為、燃料貯蔵施設ではなく、燃料取替床上の設備として扱うことが可能となる。尚、柵上部と燃料取替床との間には、斜め方向のコネクティングロッドを設け、これにより溢水荷重を支持する構造とすることが望ましい。
【００１４】
本発明は、以上の知見に基づいてなされたものであり、請求項１に係る発明では、原子力発電所における燃料貯蔵プ−ルの周囲に設けられた堰と、この堰の周囲にこれよりも低い配置で設けられた燃料取替床と、これら堰及び燃料取替床の表面に沿って固定した凸型プレ−トと、この凸型プレ−トにおける前記堰の頂部上に固定された柵とを備え、前記柵には、スロッシングによるプール水の水位上昇時にプ−ル外への溢水を緩和するシ−ト又はパネルからなる溢水緩和部材を設けたことを特徴とする燃料貯蔵プールの柵構造を提供する。
【００１５】
請求項２に係る発明では、前記凸型プレ−トは、前記プール水の水面より高い配置で前記燃料貯蔵プール側に向って張り出す水位上昇緩和用の張出し部を備えた燃料貯蔵プールの柵構造を提供する。
【００１６】
請求項３に係る発明では、前記溢水緩和部材は、可撓性シ−ト、または金属製もしくはプラスチック製パネルである請求項１記載の燃料貯蔵プールの柵構造を提供する。
【００１７】
請求項４に係る発明では、前記柵の上部と前記燃料取替床との間に、揺動水による動圧を圧縮荷重として受止めるコネクティングロッドを設けた燃料貯蔵プールの柵構造を提供する。
【００１８】
請求項５に係る発明では、前記凸型プレ−トの燃料貯蔵プ−ル側への張出し部に、揺動水が引く際の負圧発生防止用としての空気抜き孔を穿設した燃料貯蔵プールの柵構造を提供する。
【００１９】
請求項６に係る発明では、前記柵は、前記燃料貯蔵プ−ルの外縁に沿って分割構造とし、分割部分毎に設置及び撤去可能とした燃料貯蔵プールの柵構造を提供する。
【発明の効果】
【００２０】
本発明によれば、地震時のプ−ル水のスロッシングで発生する溢水を緩和し、燃料取替床から建屋の下階に溢れる可能性及び最地下階の重要設備に対して影響を与える可能性を低減することができ、原子力発電所の地震時の信頼性向上を図ることが可能となる。また、既設の発電所に対しても、後打ちアンカで容易に設置することが可能である。
【発明を実施するための最良の形態】
【００２１】
以下、本発明に係る燃料貯蔵プールの柵構造の実施形態について、図面を参照して説明する。        
［第１実施形態（図１及び図２）］
図１は、本発明の第１実施形態による燃料貯蔵プールの柵構造を示し、図２はスロッシング時の状態を示している。
【００２２】
図１に示すように、本実施形態の燃料貯蔵プ−ル１の柵構造では、原子力発電所における燃料貯蔵プ−ル１の周囲に設けられた堰２と、この堰２の周囲にこれよりも低い配置で設けられた燃料取替床３と、これら堰２及び燃料取替床３の表面に沿って固定した凸型プレ−ト４と、この凸型プレ−ト４における堰２の頂部上に固定された柵５とを備えている。
【００２３】
すなわち、この柵構造では、プ−ル周囲の堰２と燃料取替床３の断面形状にあわせた凸型プレ−ト４と、この凸型プレ−ト４上に固定された柵５から構成される。凸型プレ−ト４は、堰２の周囲に配置されている燃料取替床３の上面に固定された床上固定部４ａと、この床上固定部４ａから堰２の外周側面に沿って立上る立上り部４ｂと、堰２の上表面を覆う形で配置された頂部４ｃと、この頂部４ｃから堰２の内周側、すなわちプール内面のライニング６に沿って垂下する垂下部４ｃとを備えている。
【００２４】
具体的には、凸型プレ−ト４の床上固定部４ａが燃料取替床３の上面に固定手段としての後打ちアンカ７で定着をとって固定されるとともに、凸型プレ−ト４の立上り部４ｂが堰２の外周側面に後打ちアンカ８で定着をとって固定され、これによりプ−ル周囲の燃料取替床３側に固定されている。
【００２５】
このように、本実施形態では、凸型プレ−ト４が、プ−ル内面及びライニング６とは縁を切り、プ−ル周囲の燃料取替床３と堰２の上面及び外側に定着をとって固定されている。
【００２６】
すなわち、この凸型プレ−ト４が、燃料貯蔵プ−ル１内面やライニング６には固定されず、堰２の上面或いはプ−ル周囲の燃料取替床３側に後打ちアンカ７，８等で定着をとって固定され、動水圧荷重を燃料取替床３側に流す構成となっている。したがって、本実施形態の柵構造では燃料貯蔵プ−ル１と縁が切れている為、燃料貯蔵施設ではなく、燃料取替床３上の設備として扱うことが可能となる。
【００２７】
また、凸型プレ−ト４は、プール水９の水面より高い配置で前記燃料貯蔵プ−ル１側に向って張り出す水位上昇緩和用の張出し部４ｅを備えている。すなわち、凸型プレ−ト４の一端がプ−ル上に張り出し、水位上昇を減衰させる邪魔板として機能し、水位の上昇を緩和する構成となっている。これにより、凸型プレ−ト４は、燃料取替床３と堰２の上面及び外側に定着をとって固定され、端部がプ−ル上に張り出す形状となり、スロッシングによる水位上昇を緩和する減衰装置として機能する。
【００２８】
また、凸型プレ−ト４の燃料貯蔵プ−ル１側への張出し部４ｅには、揺動水が引く際の負圧発生防止用としての空気抜き孔１０が穿設されている。すなわち、凸型プレ−ト４のプール水９上への張り出部分には、空気抜き孔１０により、揺動水が引く時の負圧発生を防止するようになっている。
【００２９】
さらに、柵５には、スロッシングによるプール水９の水位上昇時にプ−ル外への溢水を緩和するシ−トからなる溢水緩和部材１２が設けられている。この溢水緩和部材１２は、可撓性シ−トとして構成されており、これにより、スロッシングによる水位上昇時に、プール水９のプ−ル外への流出を緩和するようになっている。
【００３０】
図３は、スロッシングによる水位上昇時の状態を示している。この図２に示すように、柵５に沿ってシ−トを設け、スロッシングによる水位上昇にプール水９がプ−ル外にこぼれ落ちないように機能する構成としたことにより、溢水量を緩和することができる。
【００３１】
さらに、柵５の上部と燃料取替床３との間には、揺動水による動圧を圧縮荷重として受止めるコネクティングロッド１３が設けられている。
【００３２】
すなわち、前述のような凸型プレ−ト４のみの定着では、揺動水の圧力に抗し切れない可能性があるので、柵５の上部と燃料取替床３との間に斜めにコネクティングロッド１３を渡し、動圧をコネクティングロッド１３の圧縮によって受け、燃料取替床３で揺動水の動圧の大部分を支持する構成を採用している。
【００３３】
なお、柵５は、燃料貯蔵プ−ル１の外縁に沿って分割構造とされ、分割部分毎に人力等によって設置及び撤去可能となっている。
【００３４】
以上のように、本実施形態によれば、スロッシングによる溢水量を可能な限り抑制および緩和させ、下階に溢れる可能性及び最地下階の重要設備に対して影響を与える可能性を低減させることにより、原子力発電所の信頼性向上を果たすことができる。
【００３５】
［第２実施形態（図３）］
図３は、本発明の第２実施形態による燃料貯蔵プ−ル１の柵構造を示している。なお、本実施形態において、第１実施形態と同様の構成部分には、図３に図１と同一符号を付し、重複説明を省略する。
【００３６】
本実施形態が第１実施形態と異なる点は、柵５に設けられるスロッシングによるプール水９の水位上昇時のプ−ル外への溢水を緩和する溢水緩和部材１２を、金属製もしくはプラスチック製パネルとした点にある。この溢水緩和部材１２としてのパネルは、柵５のプール側面部に、柵５と略同一高さで設けられ、柵５に連結部材１４を介して取付けられている。
【００３７】
このような構成によっても、第１実施形態と同様に、スロッシングによる水位上昇時に、プール水９のプ−ル外への流出を緩和することができる。
【００３８】
［他の実施形態］
なお、以上の各実施形態の構成に加えて、柵５に設置されたシ−ト、またはパネルには、発電所のイメ−ジアップにつながる絵、イラスト、幾何学模様を描き、見掛け上、スロッシング緩和装置であることを感じさせないようにすることが望ましい。
【図面の簡単な説明】
【００３９】
【図１】本発明の第１実施形態による燃料貯蔵プールの柵構造を示す構成図。
【図２】本発明の第１実施形態によるスロッシング時の作用を示す説明図。
【図３】本発明の第２実施形態による燃料貯蔵プールの柵構造を示す構成図。
【符号の説明】
【００４０】
１  燃料貯蔵プ−ル
２  堰
３  燃料取替床
４  凸型プレ−ト
５  柵
６  ライニング
７  アンカ
８  アンカ
９  プール水
１０  空気抜き孔
１２  溢水緩和部材
１３  コネクティングロッド
１４  連結部材
【図１】
2006317230.tif 000003
【図２】
2006317230.tif 000004
【図３】
2006317230.tif 000005